(57)【要約】      （修正有）【課題】電子機器において、荷重要素を回路基板から所定距離を離して支持する際に、耐久性と放熱性を両立させた支持構造体を備えた電子機器を提供する。【解決手段】荷重要素２０を回路基板３０から離して支持する電子機器１０において、該荷重要素を両脇から支持するアングル支持部材を備え、該アングル支持部材は荷重要素の内方に向けて突出した荷重支持段部４４を形成し、加えて、その荷重要素の内方に向けて突出した左右荷重支持段部の少なくとも一方の荷重支持段部の直立面内に、空気循環を可能にする複数の通風開口部を備えた耐久性と放熱性を両立させた支持構造体４０を備えた電子機器。【選択図】図１
2005123472.tif 000002
【特許請求の範囲】
【請求項１】
荷重要素を回路基板から所定距離を離して支持する電子機器において、該荷重要素を両脇から支持するアングル支持部材を備え、該アングル支持部材は前記荷重要素の内方に向けて突出した荷重支持段部を形成し、加えて、その荷重要素の内方に向けて突出した左右荷重支持段部の少なくとも一方の荷重支持段部の直立面内に、空気循環を可能にする複数の通風開口部を備えたことを特徴とする耐久性と放熱性を両立させた支持構造体を備えた電子機器。
【請求項２】
前記空気循環を可能にする複数の通風開口部を電子機器の外方部に位置した荷重支持段部の直立面内に形成したことを特徴とする請求項１記載の耐久性と放熱性を両立させた支持構造体を備えた電子機器。
【請求項３】
前記アングル支持部材に加えて、強固な支持構造体を達成するために、支持補強部材を前記アングル支持部材と重ねて組み合わせたことを特徴とする請求項１又は請求項２記載の耐久性と放熱性を両立させた支持構造体を備えた電子機器。
【請求項４】
前記アングル支持部材と前記支持補強部材は、ビス止め又はスポット溶接等で一体的に重ねて組み合わせたことを特徴とする請求項３記載の耐久性と放熱性を両立させた支持構造体を備えた電子機器。
【請求項５】
前記アングル支持部材に形成した複数の通風開口部は、通風開口部の加算開口長さと部材の奥行き寸法との比（開口比）が５％から１５％の間、特に好ましくは１０％にされたことを特徴とする前記請求項の内の一つの請求項記載の耐久性と放熱性を両立させた支持構造体を備えた電子機器。
【発明の詳細な説明】
【技術分野】
【０００１】
本発明は、耐久性と放熱性を両立させた荷重要素の支持構造体を備えた電子機器に関し、特に、ＤＶＤ（Ｄｉｇｉｔａｌ  Ｖｅｒｓａｔｉｌｅ  Ｄｉｓｋ）装置やＶＣＲ（Ｖｉｄｅｏ  Ｃａｓｓｅｔｔｅ  Ｒｅｃｏｒｄｅｒ）装置を組み込んだ複合電子機器において、ＤＶＤ装置をＤＶＤ制御回路基板の上に所定距離を離して支持する際に、耐久性と放熱性を両立させたＤＶＤ装置の支持構造体を備えた電子機器に関する。なお、本発明において、「荷重要素」とは、例えば、上記複合電子機器においてはＤＶＤ装置のように所定の荷重を有した機能要素であり、回路基板から所定距離を離して支持すべき要素を意味するものである。
【０００２】
もちろん、本発明は、その発明の趣旨に反しないで、実施例において説明した以外のものに容易に適用可能なことは自明である。
【背景技術】
【０００３】
従来、この種の複合電子機器において、荷重要素を回路基板から所定距離を離して支持する、例えば、ＤＶＤ装置をＤＶＤ制御回路基板の上に離して支持する際には、ＤＶＤ制御回路基板の両脇にＬ字形のアングル部材を設け、ＤＶＤ装置をＤＶＤ制御回路基板から適当距離を離し、左右のＬ字形アングル部材に対して複数のビスで止めて支持する方法が一般的であった。
【０００４】
しかしながら、このような、荷重要素の支持方法では、Ｌ字形アングル部材にＤＶＤ装置をビス止めしただけであるために、電子機器を誤って落としたときなどには、ＤＶＤ装置を確実に支持することは難しく、最悪の場合は、ビスが外れたり折れたりしてＤＶＤ装置がＬ字形アングル部材の支持から外れる基板を破壊させる虞もあった。
さらに、このような、荷重要素の支持方法では、両脇のＬ字形アングル部材と上面のＤＶＤ装置と下面のＤＶＤ制御回路基板とにより、実質的に長方形の閉鎖空間を作ることになり、空気の循環が生ぜず、その中に熱がこもってしまい、冷却ファン等を設けたとしても十分に冷却空気を循環させることが難しいものであった。
【発明の開示】
【発明が解決しようとする課題】
【０００５】
上述したような従来の荷重要素の支持方法においては、荷重要素の支持を確実にして機器の耐久性を上げつつ、下面の制御回路基板に十分な空気を循環させて放熱性を両立させることは困難であった。
【０００６】
本発明は、電子機器において荷重要素を回路基板から所定距離を離して支持する際に、耐久性と放熱性を両立させた支持構造体を備えた電子機器を提供するものである。特に、ＤＶＤ装置やＶＣＲ装置を組み込んだ複合電子機器において、ＤＶＤ装置をＤＶＤ制御回路基板の上に所定距離を離して支持する際に、耐久性と放熱性を両立させた支持構造体を備えた電子機器を提供するものである。
【課題を解決するための手段】
【０００７】
本発明は、荷重要素を回路基板から所定距離を離して支持する電子機器において、該荷重要素を両脇から支持するアングル支持部材を備え、該アングル支持部材は荷重要素の内方に向けて突出した荷重支持段部を形成し、加えて、その荷重要素の内方に向けて突出した左右荷重支持段部の少なくとも一方の荷重支持段部の直立面内に、空気循環を可能にする複数の通風開口部を備えた耐久性と放熱性を両立させた支持構造体を備えた電子機器を提供するものである。
【０００８】
さらに、本発明は、空気循環を可能にする複数の通風開口部を電子機器の外方部に位置した荷重支持段部の直立面内に形成した耐久性と放熱性を両立させた支持構造体を備えた電子機器を提供するものである。
【０００９】
さらに、本発明は、アングル支持部材に加えて、強固な支持構造体を達成するために、支持補強部材をアングル支持部材と重ねて組み合わせて耐久性と放熱性を両立させた支持構造体を備えた電子機器を提供するものである。
【００１０】
さらに、本発明は、アングル支持部材と支持補強部材は、ビス止め又はスポット溶接等で一体的に重ねて組み合わせて耐久性と放熱性を両立させた支持構造体を備えた電子機器を提供するものである。
【００１１】
さらに、本発明は、アングル支持部材に形成した複数の通風開口部は、通風開口部の加算開口長さと部材の奥行き寸法との比（開口比）が５％から１５％の間、特に好ましくは１０％にされた耐久性と放熱性を両立させた支持構造体を備えた電子機器を提供するものである。
【発明の効果】
【００１２】
本発明は、荷重要素を回路基板から所定距離を離して支持する電子機器において、荷重要素を両脇から、該荷重要素の内方に向けて突出した荷重支持段部を形成したアングル支持部材によって支持し、その少なくとも一方の荷重支持段部の直立面内に、空気循環を可能にする複数の通風開口部を備えたことにより、荷重要素を確実に支持することが可能であり且つ空気の循環も保てることから、耐久性と放熱性を両立させた支持構造体を備えた電子機器を提供できるものである
【００１３】
さらに、本発明は、アングル支持部材に対して支持補強部材を重ねて組み合わせて支持構造体を構成することにより、より強固な支持構造体を達成することができ、耐久性と放熱性を両立させた支持構造体を備えた電子機器を提供できるものである。
【００１４】
さらに、本発明は、アングル支持部材に形成した複数の通風開口部は、通風開口部の加算開口長さと部材の奥行き寸法との比（開口比）が５％から１５％の間、特に好ましくは１０％とすることにより、アングル支持部材の強度を低下させることなく、回路基板の冷却に用いられる空気の循環を保つことができ、耐久性と放熱性を両立させた支持構造体を備えた電子機器を提供できるものである。
【発明を実施するための最良の形態】
【００１５】
以下、図面を参酌しながら、本発明を実施するための最良の形態としての実施例を説明する。なお、この実施例としては、電子機器として、ＤＶＤ装置及びＶＣＲ装置を組み込んだ複合電子機器を対象とし、特に、ＤＶＤ装置をＤＶＤ制御回路基板の上に所定距離を離して支持する場合の支持構造体を備えた電子機器を対象として説明する。
【００１６】
図１は、本発明の実施例のＤＶＤ装置２０及びＶＣＲ装置（図１の左側にＤＶＤ装置２０と並べて配置してあるが図示せず）を組み込んだ複合電子機器１０の一部を破断した正面図である。複合電子機器１０の正面は、ＶＣＲ装置に対するビデオカセット媒体の挿入口、各種スイッチ、入出力端子、機器の動作状態や時刻の表示装置等が設けられているが、本発明には関係が無いので図示していない。
【００１７】
複合電子機器１０のＤＶＤ装置２０は、所定の荷重を有しており本発明の荷重要素に相当するものであり、その荷重要素であるＤＶＤ装置２０をＤＶＤ制御回路基板３０から所定距離ｈだけ離して、その両脇から支持構造体４０、４０により支持している。
【００１８】
図２は、図１と同様に、本発明の実施例の複合電子機器１０の一部を破断した上面図である。複合電子機器１０は機器の正面及び背面以外を覆う天板７０により外側面が形成されており、天板７０には、図４で詳細に示すように、ＤＶＤ装置２０のＤＶＤ制御回路基板３０を冷却する空気を外部から取り入れるための外気吸引口７１（図２においては図示なし）が形成されている。複合電子機器１０のＤＶＤ装置２０の後方には、複合電子機器１０内の空気の循環を達成するためのファン６０が背面パネルに設けられている。このファン６０を駆動することにより、外気が天板７０の外気吸引口７１から吸引され、支持構造体４０の通風開口部４１、４１・・・４１（図３の説明において詳細説明）から内部を循環して、ＤＶＤ制御回路基板３０を冷却しファン６０から外気に排出される。このときの空気の流れを流線Ｓにて示す。
【００１９】
図２においては、空気循環を可能にする複数の通風開口部４１、４１・・・４１は電子機器１０の外方部（図２の右側）に位置した荷重支持段部４４の直立面内４５（詳細は後述する）に形成したものとして、空気の流れを流線Ｓを図示したが、左右の部品を共通化するために両方に通風開口部４１、４１・・・４１を形成して支持構造体４０を共通部品とすることも可能である。その際には、図２中の左側の支持構造体４０からも多少の空気の流入が発生する。
【００２０】
図３は、本発明の実施例の複合電子機器１０の天板７０の外気吸引口７１から吸引された外気がファン６０によりＤＶＤ制御回路基板３０を冷却するように循環する空気循環流を示す機器配置の関係の側面図である。これにより、外気は天板７０の外気吸引口７１から吸引され、ＤＶＤ装置２０の側面を冷却しながら、少し下方に流れて支持構造体４０の通風開口部４１、４１・・・４１から支持構造体４０の内側に流れ込み、ＤＶＤ制御回路基板３０を冷却して後方からファン６０に引かれて外気に放熱される。図４は、複合電子機器１０の天板７０の斜視図を示し、外気吸引口７１の形成をより明確に示している。図示の通り、この外気吸引口７１は多数のスリット形状開口を多段に並べて形成するのが望ましい。また、これは機器の奥行き方向に全体的に均等に配置するのではなく、前方にまとめて配置させ背面部には形成しないほうが、外気を前方から吸い込んで機器内部を循環させて後方のファン６０から排気するようにして、機器内により長い空気循環経路を達成することができる。
【００２１】
図５は、本発明の実施例の複合電子機器１０のＤＶＤ装置２０を、ＤＶＤ制御回路基板３０から所定距離ｈだけ離して、両脇から支持構造体４０、４０により支持した状態を背面部から見た図であり、従って図５の左側に天板７０の側壁が見えている。この支持構造体４０は、アングル支持部材４２と支持補強部材４３とを重ねて組み合わせて構成されているものである。図では、これらの部材が識別容易なように、支持補強部材４３には太線のハッチングを入れてある。本実施例の図は、左右の支持構造体４０は共通部品化した例を示している。もちろん、この左右の支持構造体４０は基板を取り付けるための取り付け孔の位置等の関係で必ずしも共通部品化できない場合も多いが、それに対応するには設計的に必要な変更を加えれば良い。
【００２２】
この場合の、天板７０の外気吸引口７１から吸引された空気の流れを流線Ｓを示せば、図示の通りである。
【００２３】
図６は、アングル支持部材４２と支持補強部材４３とを位置合わせして、重ねて組み合わせて構成した支持構造体４０の側面図である。このように、支持構造体４０をアングル支持部材４２と支持補強部材４３とを組み合わせて構成することにより、極めて強度の高い支持構造体４０を得ることができる。図示の支持構造体４０においては、支持補強部材４３が天板７０の外気吸引口７１から吸引された空気を、最初に取り入れることになるが、その際の支持補強部材４３に設けられた通風開口部４１、４１・・・４１は７個で、直径はｄである。図７は、アングル支持部材４２と支持補強部材４３とを位置合わせして、重ねて組み合わせて構成した支持構造体４０の上面図である。
【００２４】
図８は、アングル支持部材４２の側面図、図９は、アングル支持部材４２の上面図、図１０は、アングル支持部材４２の背面図である。
【００２５】
図８に示す実施例では、荷重支持段部４４の直立面４５内に、直径がｄの空気循環を可能にする通風開口部４１、４１・・・４１が複数（図では５個）形成されている。この直径寸法を大きくし、通風開口部４１の数を多くすれば空気の流通は多くなり、ＤＶＤ制御回路基板３０の放熱効果は増大する。しかし、その反面、このように通風開口部４１の直径寸法を大きくし、その数を多くすれば、アングル支持部材４２がその分弱くなり、十分な耐性が得られなくなる虞がある。
【００２６】
アングル支持部材４２の折り曲げられた荷重支持段部４４は、その上に荷重要素であるＤＶＤ装置を載置し、さらに垂直方向に曲げられた直立面４５内には５個の通風開口部４１、４１・・・４１が形成されている（図８及び図１０参照）。図８中、４６はビス止め用の孔であり、支持補強部材４３のビス止め用孔４６と位置が一致している。図８中、４７は位置合わせ用凸部であり、支持補強部材４３の位置合わせ用孔４８と位置が一致している。これによって、アングル支持部材４２と支持補強部材４３とは位置合わせをされ、重ねて組み合わせることができる。もちろん、組み合わせるにはリベットやスポット溶接の方法を用いてもよい。なお、図中丸の中に３本の斜線を引いてあるものは、凸部を可視的に理解しやすいようにして図示したものである。
【００２７】
図８において、通風開口部４１は荷重支持段部４４の直立面４５内の前方部分（図８中の左側、電子機器の前面側）には、あまり設けていない理由は、ＤＶＤ装置の場合は機器前面側にドライブモータ等の比較的重量の大きな部品が配置されるので、強度を維持する観点から開口部を設けることを避けたものである。それについても、設計的の要請により変更は可能である。
【００２８】
図９及び図１０の４９は基板取り付け用孔であり、５０はＤＶＤ装置全体をシャーシに取る付けるための孔である。
【００２９】
ここにおいて、通風開口部４１の直径と数の問題であるが、発明者らは、実験を繰り返し、奥行き寸法１９０ｍｍのアングル支持部材４２に対して、直径４ｍｍの通風開口部４１を５個形成するのが、最も、支持構造体の耐久性とＤＶＤ制御回路基板３０の放熱性を両立することができるとの結論を得た。
【００３０】
また、奥行き寸法をＬとし、通風開口部４１の直径をｄとし、その数をｎとすると、通風開口部の加算開口長さ（ｄ×ｎ）と部材の奥行き寸法（Ｌ）との比（開口比）が５％から１５％の間、特に好ましくは１０％が望ましい。
【００３１】
また、本実施例では通風開口部４１を円形開口部として形成しているが、当然のこと、円形に限る必要はない。例えば、楕円形開口部、ひし形開口部、多角形状開口部、スリット状開口部等々、設計に応じてどのような形状にしても良い。ただし、いずれの場合においても、その開口比は５％から１５％の間、特に好ましくは１０％が望ましい。
【００３２】
図１１は、支持補強部材４３の側面図、図１２は、支持補強部材４３の上面図、図１３は、支持補強部材４３の背面図、図１４は、支持補強部材４３のＡ−Ａ（図１１）断面図である。
【００３３】
図１１中、４６はビス止め用の孔であり、アングル支持部材４２のビス止め用孔４６と位置が一致している。図８中、４８は位置合わせ用孔であり、アングル支持部材４２の位置合わせ用凸部４７と位置が一致している。
【００３４】
図１１の実施例においては、支持補強部材４３には、直径ｄの通風開口部４１が７個形成されている。
【００３５】
本発明の実施例においては、支持補強部材４３には、直径ｄの通風開口部４１を７個形成し、アングル支持部材４２には、直径ｄの通風開口部４１を５個形成している。その理由は、なるべく多くの外気をＤＶＤ制御回路基板３０まで導入させたいがためである。従って、通風開口部４１の数は、アングル支持部材４２（内側、天板７０の外気吸引口７１から遠い側）よりも支持補強部材４３（外側、天板７０の外気吸引口７１から近い側）に対しての方が多く形成しているものである。
【００３６】
さらに、それらの通風開口部４１の一番先頭（機器の最前面側、図６の左側）の形成位置は、アングル支持部材４２の一番先頭の通風開口部４１よりも、支持補強部材４３の一番先頭の通風開口部４１の方が、より機器の最前面側、つまり図６の左側から形成するようにしている。これも、なるべく多くの外気をＤＶＤ制御回路基板３０まで導入させたいがためである。
【図面の簡単な説明】
【００３７】
【図１】本発明の実施例の複合電子機器の一部破断正面図
【図２】本発明の実施例の複合電子機器の一部破断上面図
【図３】ＤＶＤ制御回路基板を冷却する空気循環流を示す側面図
【図４】本発明の実施例の複合電子機器の天板を示す斜視図
【図５】ＤＶＤ装置を両脇から支持構造体により支持した状態を示した背面図
【図６】支持構造体の側面図
【図７】支持構造体の上面図
【図８】アングル支持部材の側面図
【図９】アングル支持部材の上面図
【図１０】アングル支持部材の背面図
【図１１】支持補強部材の側面図
【図１２】支持補強部材の上面図
【図１３】支持補強部材の背面図
【図１４】支持補強部材のＡ−Ａ断面図
【符号の説明】
【００３８】
１０  複合電子機器
２０  ＤＶＤ装置
３０  ＤＶＤ制御回路基板
４０  支持構造体
４１  通風開口部
４２  アングル支持部材
４３  支持補強部材
４４  荷重支持段部
６０  ファン
７０  天板
７１  外気吸引口
【図１】
2005123472.tif 000003
【図２】
2005123472.tif 000004
【図３】
2005123472.tif 000005
【図４】
2005123472.tif 000006
【図５】
2005123472.tif 000007
【図６】
2005123472.tif 000008
【図７】
2005123472.tif 000009
【図８】
2005123472.tif 000010
【図９】
2005123472.tif 000011
【図１０】
2005123472.tif 000012
【図１１】
2005123472.tif 000013
【図１２】
2005123472.tif 000014
【図１３】
2005123472.tif 000015
【図１４】
2005123472.tif 000016